(57)【要約】【課題】使用者がハンドルに下方に向かう荷重を加えても、ロッドが簡単に変形することがなく、使用者がハンドルを長時間にわたってしっかりと握らなくとも移動することができる杖代用キャリーバッグを提供する。【解決手段】キャリーバッグの伸縮ロッド機構の２本の伸縮ロッド１１６の上端にハンドル１２１を設ける。ハンドル１２１は、ベース部１２３と、一対のアーム部１２５と、一対のアーム部２５の先端間をつなぐように延びて握り部を構成する連結部１２７とを備えている。ハンドル１２１の２つの角部Ｃ３及びＣ４の上面部には、それぞれ膨出部１２９が一体に形成されている。２つの膨出部１２９は、それぞれアーム部１２５と握り部を構成する連結部１２７とに跨るように形成されている。膨出部１２９は、アーム部１２５から連結部１２７に向かうに従って段階的に高さが高くなる形状を有している。【選択図】図３
2009261685.tif 000002
【特許請求の範囲】
【請求項１】
開閉自在なケースと、
前記ケースの底部の四隅に設けられた、自由な方向に走行可能な４つのキャスタと、
上端にハンドルが設けられ、前記ケースの１つの側面に沿うように配置された１本以上のロッドとを備えた、杖の代わりに使用される杖代用キャリーバッグであって、
前記１本以上のロッドの中心線を含み且つ前記ケースの前記側面に沿う第１の仮想垂直面と、前記ケースの中心を通り且つ前記第１の仮想垂直面と平行に延びる第２の仮想垂直面とを仮定したときに、前記ハンドルは、前記第１の仮想垂直面から前記第２の仮想垂直面に向かう方向に延びる延長部と該延長部の先端に一体に設けられ且つ使用者が手で握ることができる大きさの握り部とを備えており、
さらに前記ハンドルの上面部には、前記使用者の手の平で包まれる大きさの１以上の膨出部が一体に形成されていることを特徴とする杖代用キャリーバッグ。
【請求項２】
前記ハンドルを上から見たときの前記ハンドルの形状は、前記第１の仮想垂直面に沿って並ぶ２つの角部と前記第２の仮想垂直面に沿って並ぶ別の２つの角部を有する閉ループ形状を呈しており、
前記別の２つの角部にそれぞれ前記膨出部が形成されていることを特徴とする請求項１に記載の杖代用キャリーバッグ。
【請求項３】
前記第１の仮想垂直面と直交し且つ前記１本以上のロッドの前記上端を含む仮想水平面を仮定したときに、前記ハンドルは、前記第１の仮想垂直面と前記仮想水平面との交線に沿って延びるベース部と、前記仮想水平面に沿い且つ前記ベース部の両端から前記第２の仮想垂直面に向かって延びて前記延長部を構成する一対のアーム部と、前記仮想水平面に沿い且つ前記一対のアーム部の先端間をつなぐように延びて前記握り部を構成する連結部とを備えており、
２つの前記膨出部が、それぞれ前記アーム部と前記連結部とに跨るように形成されている請求項１に記載の杖代用キャリーバッグ。
【請求項４】
前記膨出部は、前記アーム部から前記連結部に向かうに従って段階的にまたは徐々に高さが高くなる形状を有している請求項２に記載の杖代用キャリーバッグ。
【請求項５】
開閉自在なケースと、
前記ケースの底部に前記ケースを自立状態で走行させることを許容するように設けられた、自由な方向に走行可能な３つ以上のキャスタと、
上端にハンドルが設けられ、前記ケースの１つの側面に沿うように配置された、１本以上のロッドとを備えた、杖の代わりに使用される杖代用キャリーバッグであって、
前記１本以上のロッドの中心線を含み且つ前記ケースの前記側面に沿う第１の仮想垂直面と、前記ケースの中心を通り且つ前記第１の仮想垂直面と平行に延びる第２の仮想垂直面とを仮定したときに、前記ハンドルは、前記第１の仮想垂直面から前記第２の仮想垂直面に向かう方向に延びる延長部と該延長部の先端に一体に設けられた握り部とを備えていることを特徴とする杖代用キャリーバッグ。
【請求項６】
前記第１の仮想垂直面と直交し且つ前記１本以上のロッドの前記上端を含む仮想水平面を仮定したときに、前記ハンドルは、前記第１の仮想垂直面と前記仮想水平面との交線に沿って延びるベース部と、前記仮想水平面に沿い且つ前記ベース部の両端から前記第２の仮想垂直面に向かって延びて前記延長部を構成する一対のアーム部と、前記仮想水平面に沿い且つ前記一対のアーム部の先端間をつなぐように延びて前記握り部を構成する連結部とを備えている請求項５に記載の杖代用キャリーバッグ。
【請求項７】
前記ハンドルの上面部には、前記アーム部と前記連結部とに跨るように、使用者の手の平で包まれる大きさの膨出部が一体に形成されている請求項６に記載の杖代用キャリーバッグ。
【請求項８】
前記連結部の表面が前記ベース部の表面よりも上方に位置するように前記ハンドルの形状が定められている請求項３または６に記載の杖代用キャリーバッグ。
【請求項９】
前記連結部及び前記一対のアーム部の表面が前記ベース部の表面よりも上方に位置するように前記ハンドルの形状が定められている請求項３または６に記載の杖代用キャリーバッグ。
【請求項１０】
前記１本以上のロッドは、前記ケースの前記底部と対向する天井部に近接した第１の位置と前記天井部から上方に離れた第２の位置との間を変位するように上下方向に伸縮する伸縮ロッド機構に含まれる１本以上の伸縮ロッドからなり、前記伸縮ロッド機構は前記伸縮ロッドが伸びた状態を解除可能に維持するストッパ機構を備えることを特徴とする請求項３または６に記載の杖代用キャリーバッグ。
【請求項１１】
前記ストッパ機構を解除する際に操作される解除ボタンが、前記ハンドルの前記ベース部の底部に設けられている請求項１０に記載の杖代用キャリーバッグ。
【発明の詳細な説明】
【技術分野】
【０００１】
本発明は、杖の代わりに使用することができる杖代用キャリーバッグに関するものである。
【背景技術】
【０００２】
キャリーバッグは特に長時間にわたって荷物を内包して運ぶ際に利便性の高い道具であるが、昨今、４つ以上のキャスタを有するキャリーバッグを歩行補助のための杖の代わりとしても流用する使用者が増加している。
【０００３】
例えば、足腰の弱った老人や歩行等にハンディのある者がこのようなキャリーバッグを使用すれば、荷物を容易に運搬しながら使用者本人の歩行も補助でき、特に利便性が高い。
【０００４】
特開平１０−１３７０２２号公報（特許文献１）には、杖の代わりに使用することができる杖代用キャリーバッグの従来例が示されている。従来の杖代用キャリーバッグでは、伸縮ロッドが伸びた状態で、伸縮ロッドの上端に設けられたハンドル（握り部）をケースの左右の中央に位置させるようにするために、伸縮ロッドを湾曲させるか、または伸縮ロッドを斜めに伸ばすように構成している。
【特許文献１】特開平１０−１３７０２２号公報
【発明の開示】
【発明が解決しようとする課題】
【０００５】
しかしながら伸縮ロッドを湾曲させたり斜めに伸ばす構造では、使用者がハンドルに体重をかけて下方に向かう荷重を加え続けると、伸縮ロッドが真上に延びているものに比較して変形し易く、そのため設計外の湾曲などのゆがみが生じやすいという問題点があった。
【０００６】
また従来の杖代用キャリーバッグでは、ハンドルが棒状を呈しているだけである。このような構造では、使用者がハンドルの上に手を置いた状態で、ハンドルを押しながらキャリーバッグを移動させようとしても、ハンドルを通じて移動力を伝え難く、上手く移動できなかった。そのため、使用者は長時間にわたりハンドルをしっかりと握って移動力を伝達せねばならず、疲れやすいという問題があった。
【０００７】
本発明の目的は、使用者がハンドルに下方に向かう荷重を加えても、ロッドが簡単に変形することがない杖代用キャリーバッグを提供することにある。
【０００８】
上記目的に加えて、本発明の他の目的は、使用者がハンドルを長時間しっかりと握らずとも移動することができる杖代用キャリーバッグを提供することにある。
【課題を解決するための手段】
【０００９】
本発明が改良の対象とする杖代用キャリーバッグは、開閉自在なケースと、ケースの底部にケースを自立状態で走行させることを許容するように設けられた自由な方向に走行可能な３つ以上のキャスタ（一般的に４つのキャスタ）と、上端にハンドルが設けられた１本以上のロッドとを備えている。１本以上のロッドは、ケースの１つの側面に沿うように配置されている。
【００１０】
本発明では、前提として、１本以上のロッドの中心線を含み且つケースの側面に沿う第１の仮想垂直面と、ケースの中心を通り且つ第１の仮想垂直面と平行に延びる第２の仮想垂直面とを仮定する。ハンドルは、第１の仮想垂直面から第２の仮想垂直面に向かう方向に延びる延長部と、該延長部の先端に一体に設けられ且つ使用者が手で握ることができる大きさの握り部とを備えている。このようにすると１本以上のロッドを、第１の仮想垂直面に沿って真っ直ぐに伸びばす構成を採用することにより、ハンドルに多少大きな荷重が加わったときでも、伸縮ロッドが簡単に変形することがないようにしても、握り部をケースの中心を通る第２の仮想垂直面に近づけた位置に配置することができる。したがって従来の杖代用キャリーバッグと同様に、杖の代用としてキャリーバッグを使用することができる。なお握り部の配置位置は、理論的には、第２の仮想垂直面が通る位置にするのが好ましいが、実用上は、第２の仮想垂直面の近くに握り部が位置していれば、支障なく杖の代用としてキャリーバッグを利用することができる。
【００１１】
なお１本以上のロッドは、ケースの底部と対向する天井部に近接した第１の位置と前記天井部から上方に離れた第２の位置との間を変位するように上下方向に伸縮する伸縮ロッド機構に含まれる１本以上の伸縮ロッドから構成することができる。この場合、伸縮ロッド機構は、伸縮ロッドが伸びた状態を解除可能に維持するストッパ機構を備える。ロッドが伸縮すれば、キャリーバッグを使用しないときに、ロッドが邪魔になることがない。またストッパ機構を設けることにより、ハンドルに荷重をかけたときに、不意にロッドが短くなる問題を解消することができる。
【００１２】
またハンドルの上面部には、使用者の手の平で包まれる大きさの１以上の膨出部を一体に形成するのが好ましい。このような１以上の膨出部を設けると、使用者が手の平でハンドルを進行方向に押す際に、膨出部を包むように手の平をハンドルの上に置くことにより、膨出部を手掛かりとして、スムーズにハンドルを進行方向に押すことができる。膨出部の位置及び形状は任意である。
【００１３】
またハンドルの形状は、上記条件を満たす限り任意である。例えば、ハンドルを上から見たときのハンドルの形状を、第１の仮想垂直面に沿って並ぶ２つの角部と第２の仮想垂直面に沿って並ぶ別の２つの角部を有する閉ループ形状を呈するように定めることができる。この場合には、前述の別の２つの角部にそれぞれ膨出部を形成するのが好ましい。このようにすると、使用者の左右のいずれにキャリーバッグを置いた場合でも、膨出部を使用者の手の平で確実に包んだ状態で、ハンドルに進行方向に向かう力を加えることができる。
【００１４】
より具体的な好ましいハンドルの構造を特定すると、次のようにハンドルの構造を特定することができる。すなわち第１の仮想垂直面と直交し且つ１本以上のロッドの上端を含む仮想水平面を仮定したときに、ハンドルを、第１の仮想垂直面と仮想水平面との交線に沿って延びるベース部と、仮想水平面に沿い且つベース部の両端から第２の仮想垂直面に向かって延びて延長部を構成する一対のアーム部と、仮想水平面に沿い且つ一対のアーム部の先端間をつなぐように延びて握り部を構成する連結部とを備えた構造とすることができる。ロッドの本数が１本の場合には、ベース部の中央に１本のロッドの上端を固定すればよい。またロッドの本数が２本以上の場合には、ベース部の両端部に２本以上のロッドの上端をそれぞれ固定すればよい。このような構造のハンドルを用いると、使用者が握り部を握った状態で、キャリーバッグを進行方向に押し進めることができるだけでなく、使用者が手の平を握り部及びアーム部の上に置いた状態で、キャリーバッグを進行方向にスムーズに押し進めることができる。
【００１５】
なおベース部、一対のアーム部及び連結部は、仮想水平面に沿っていればよく、ベース部、一対のアーム部及び連結部が段違いに形成されていてもよい。また各部の厚みが異なっていてもよい。特に、連結部の表面をベース部の表面よりも上方に位置するようにハンドルの形状を定めるか、または連結部及び一対のアーム部の表面をベース部の表面よりも上方に位置するようにハンドルの形状を定めるのが好ましい。このようにすると、使用方法を知らない使用者であって、連結部上に自然に手を置くことになり、従来のようにベース部を握って長時間キャリーバッグを押し続けることが無くなる。
【００１６】
さらに具体的なハンドルでは、２つの膨出部を、それぞれアーム部と連結部とに跨るように形成するのが好ましい。アーム部と連結部とに跨るように膨出部を形成すると、比較的大きな膨出部を見栄え良くハンドルに一体に形成することができる。
【００１７】
なお膨出部の形状は、手の平で包むことができる形状であればどのような形状でもよい。例えば、膨出部の形状を、アーム部から連結部に向かうに従って段階的にまたは徐々に高さが高くなる形状にするのが好ましい。膨出部をこのような形状にすると、アーム部の上に使用者の親指を置いた状態で、膨出部を手の平でスムーズに包むことができる。
【００１８】
またロッドを伸縮ロッド機構の伸縮ロッドにより構成する場合において、伸縮ロッド機構がストッパ機構を備えている場合には、ストッパ機構を解除する際に操作される解除ボタンを、ハンドルのベース部の底部に設けるのが好ましい。このようにすると、誤って解除ボタンを押す可能性を大幅に低減することができる。またハンドルは、交換可能にロッドの上端に取り付けられているのが好ましい。このようにすると、使用者の手の大きさにあった膨出部を備えたハンドルを選択することができる。
【発明の効果】
【００１９】
本発明によれば、使用者がハンドルに下方に向かう荷重を加えても、ロッドが簡単に変形することがない杖代用キャリーバッグを提供することができる。また、ハンドルの上面部に、使用者の手の平で包まれる大きさの１以上の膨出部を一体に形成すれば、使用者がハンドルを長時間しっかりと握らずとも移動することができる杖代用キャリーバッグを提供することができる。
【発明を実施するための最良の形態】
【００２０】
以下図面を参照して本発明の杖代用キャリーバッグの実施の形態の一例を詳細に説明する。図１（Ａ）は、後述する伸縮ロッド機構１３の２本の伸縮ロッド１６を縮めた状態の本実施の形態の杖代用キャリーバッグ１の正面図であり、図１（Ｂ）は伸縮ロッド機構１３の２本の伸縮ロッド１６を伸ばした状態の本実施の形態の杖代用キャリーバッグ１の右側面図であり、図１（Ｃ）は後述するハンドル２１の平面図である。本実施の形態では、２本の伸縮ロッド１６が、上端にハンドル２１が設けられた１本以上のロッドを構成している。本実施の形態の杖代用キャリーバッグ１は一面に開口部を有する箱状のケース本体３と、ケース本体３の開口部を塞ぐ蓋部材５とからなる開閉自在なケース７を備えている。蓋部材５はチャックを利用してケース本体３の開口部を塞ぐようにケース本体３に取り付けられている。ケース本体３の底部１１の四隅には、自由な方向に走行可能な４つのキャスタ１１が固定されている。その結果、ケースは接地面に置いて自立した状態で走行させることができる。またケース本体３の内部には、伸縮ロッド機構１３の２本の伸縮ロッド１６の鞘部１５が収納されている。伸縮ロッド機構１３の鞘部１５は、ケース本体３の背面部１７に沿うようにケース本体３内に配置されている。なお鞘部１５がケース本体３の背面部１７の外側に配置されていてもよいのは勿論である。鞘部１５は、ケース本体３の図示しない内部フレームに対して固定されている。伸縮ロッド機構１３は、２本の伸縮ロッド１６が鞘部１５内において２段階で変位する公知の変位構造を有している。したがって、伸縮ロッド１６は伸縮可能なものである。すなわち伸縮ロッド機構１３は、鞘部１５と鞘部１５内にスライド可能に収納される伸縮ロッド１６とから構成されている。その結果、伸縮ロッド１６により構成される本実施の形態におけるロッドは、概ね直棒である。図１（Ａ）に示す状態は、伸縮ロッド１６が鞘部１５内に完全に収納された状態である。また図１（Ｂ）に示す状態は、伸縮ロッド１６が鞘部１５から伸び出た状態を示している。伸縮ロッド１６と鞘部１５との間には、鞘部１５から伸び出た伸縮ロッド１６を鞘部１５に対して停止状態にする係合構造からなるストッパ機構（図示せず）が設けられている。したがって本実施の形態では、２本の伸縮ロッド１６，鞘部１５及びストッパ機構により伸縮ロッド機構１３が構成されている。なおこの種のストッパ機構については、前述の特許文献１にも詳しく説明されているので詳しい説明は省略する。ストッパ機構は、後述する解除ボタン１９の操作で係合構造を非係合状態にする解除機構を備えている。解除機構は、伸縮ロッド１６の内部に配置されて、解除ボタン１９の動きを係合構造に伝えるリンク機構を備えている。なおこの解除機構についても、すでに公知であるため詳しい説明は省略する。
【００２１】
伸縮ロッド機構１３の伸縮ロッド１６の上端には、ハンドル２１が取り付けられている。伸縮ロッド機構１３の伸縮ロッド１６の上下方向への伸縮機能によって、ハンドル２１がケース本体３の底部９と対向する天井部１０に近接した第１の位置と天井部１０から上方に離れた第２の位置との間を変位する。図１（Ａ）に示したハンドル２１の位置が第１の位置であり、図１（Ｂ）に実線で示したハンドル２１の位置が第２の位置である。なお天井部１０に凹部を設け、この凹部の内部にハンドル２１を収納するようにしてもよいのは勿論である。このような凹部を設けた場合には、天井部１０とハンドル２１とは接触した状態になる。
【００２２】
ここでハンドル２１の構造を特定するために、図１（Ｂ）に示すように、伸縮ロッド機構１３の２本の伸縮ロッド１６の中心線を含み且つケース７の背面部１７（一つの側面）に沿う第１の仮想垂直面ＰＳ１と、ケース７の中心を通り且つ第１の仮想垂直面ＰＳ１と平行に延びる第２の仮想垂直面ＰＳ２とを仮定する。また第１の仮想垂直面ＰＳ１と直交し且つ伸縮ロッド機構１３の２本の伸縮ロッド１６の上端を含む仮想水平面ＰＳ３を仮定する。図１（Ｃ）に示すように、ハンドル２１は、第１の仮想垂直面ＰＳ１と仮想水平面ＰＳ３との交線ＣＬに沿って延びるベース部２３と、仮想水平面ＰＳ３に沿い且つベース部２３の両端から第２の仮想垂直面ＰＳ２に向かって延びて延長部を構成する一対のアーム部２５と、仮想水平面ＰＳ３に沿い且つ一対のアーム部２５の先端間をつなぐように延びて握り部を構成する連結部２７とを備えている。見方を変えると、ハンドル２１の形状は、ハンドル２１を上から見たときに、第１の仮想垂直面ＰＳ１に沿って並ぶ２つの角部Ｃ１及びＣ２と第２の仮想垂直面ＰＳ２に沿って並ぶ別の２つの角部Ｃ３及びＣ４を有する閉ループ形状を呈している。
【００２３】
このような構造のハンドル２１を用いると、図２に示すように、使用者Ｕが握り部２７を握った状態で、キャリーバッグを進行方向に押し進めることができるだけでなく、使用者が手の平を連結部（握り部）２７及びアーム部２５の上に置いた状態で、キャリーバッグ１を進行方向にスムーズに押し進めることができる。
【００２４】
本実施の形態では、ハンドルのベース部２３の底部（ケース７の天井部１０と対向する部分）に、前述のストッパ機構を解除する際に操作される解除ボタン１９が設けられている。ハンドル２１の内部には解除ボタン１９の動きを伸縮ロッド機構１３の２本の伸縮ロッド１６内に設けられた係合解除用のリンク機構に伝達する伝達リンク機構が配置されている。本実施の形態においては、通常、使用者が触ることが少ないベース部２３の底部に解除ボタン１９を設けているので、使用者が誤って解除ボタンを操作する可能性は非常に少ない。
【００２５】
本実施の形態では、ハンドル２１が、第１の仮想垂直面ＰＳ１から第２の仮想垂直面ＰＳ２に向かう方向に延びる２本のアーム部２５からなる延長部と、この延長部の先端に一体に設けられ且つ使用者が手で握ることができる大きさの連結部（握り部）２７とを備えている。その結果、本実施の形態では、伸縮ロッド機構１３の２本の伸縮ロッド１６を第１の仮想垂直面ＰＳ１に沿って真っ直ぐに伸ばす構成を採用して、ハンドル２１に多少大きな荷重を加えたり、長時間にわたって荷重を加えたりしても、伸縮ロッド機構１３の伸縮ロッド１６が簡単に変形することがないようにして、しかもケース７の中心を通る第２の仮想垂直面ＰＳ２に近づけた位置に連結部（握り部）２７を配置することができる。したがって従来の杖代用キャリーバッグと同様に、本実施の形態によれば、杖の代用としてキャリーバッグ１を使用することができる。なお握り部２７の配置位置は、理論的には、第２の仮想垂直面ＰＳ２が通る位置にするのが好ましい。しかしながら実用上は、第２の仮想垂直面ＰＳ２の近くに握り部が位置していれば、支障なく杖の代用としてキャリーバッグを利用することができる。
【００２６】
図３は、形状が異なるハンドル１２１が伸縮ロッド機構１１３の２本の伸縮ロッド１１６の上端に取り付けられた状態の斜視図を示しており、図４（Ａ）乃至（Ｅ）はこの伸縮ロッド機構１１３の伸縮ロッド１１６上端に取り付けられたハンドル１２１を含む部分の平面図、正面図、右側面図、左側面図及び底面図を示している。図３及び図４には、図１に示したハンドル２１と同じ部分には、図１に付した符号の数に１００の数を加えた数の符号を付して説明を省略する。このハンドル１２１には、２つの角部Ｃ３及びＣ４の上面部にそれぞれ膨出部１２９が一体に形成されている。このようにすると、使用者の左右のいずれにキャリーバッグ１を置いた場合でも、膨出部１２９を使用者の手の平で確実に包んで状態で、ハンドル１２１に進行方向に向かう力を加えることができる。具体的には、２つの膨出部１２９は、それぞれアーム部１２５と握り部を構成する連結部１２７とに跨るように形成されている。このようにすると、比較的大きな膨出部１２９を見栄え良くハンドル１２１に一体に形成することができる。そして膨出部１２９は、アーム部１２５から連結部１２７に向かうに従って段階的に（２段階で）高さが高くなる形状を有している。膨出部１２９をこのような形状にすると、一方のアーム部１２５の上に使用者の親指を置いた状態で、膨出部１２９を手の平でスムーズに包むことができる。なお膨出部１２９をアーム部１２５から連結部１２７に向かうに従って徐々に高さが高くなる形状にしてもよいのは勿論である。
【００２７】
また本実施の形態では、握り部を構成する連結部１２９の外側縁部は、ベース部１２３に向かって凸となるように湾曲しているが、連結部１２９の表面に滑り止め加工を施してもよいのは勿論である。
【００２８】
図５は、伸縮ロッド機構が１本の伸縮ロッド１１６′だけでハンドル１２１を支持する場合の例を示している。ハンドルを取り付けるロッドとして、１本の伸縮ロッド１１６′を用いる場合には、２本の伸縮ロッド１６（１１６）を用いる場合よりも、太さを太くして機械的強度を高めるのが好ましい。
【００２９】
またハンドルは、交換可能に１本以上のロッド（１６，１１６，１１６′）の上端に取り付けられていてもよい。ハンドルが交換可能であれば、使用者の手の大きさにあった膨出部を備えたハンドルを選択することができる利点が得られる。
【００３０】
図６（Ａ）乃至（Ｃ）は、本発明で用いることができるハンドル２２１のさらに他の例の平面図、正面図及び右側面図を示している。そして図７には、このハンドル２２１を背面側からみた斜視図を示してある。図６及び図７にも、図１に示したハンドル２１と同じ部分には、図１に付した符号の数に２００の数を加えた数の符号を付して説明を省略する。このハンドル２２１を、前述のハンドル２１及び１２１と比べると、一対のアーム部２２５がクランク状に曲がっている。その結果、ハンドル２２１の形状は、握り部を構成する連結部２２７の表面及び一対のアーム部２２５の表面の一部が、ベース部２２３の表面よりも上方に位置するようになっている。このようにすると、使用方法を知らない使用者であって、連結部２２７上に自然に手を置くことになり、従来のようにベース部２２３を握って長時間キャリーバッグを押し続けることが無くなる。
【００３１】
本実施の形態におけるキャリーバッグでは図１に示すようにケース１７の開口部がケース１７の前面部１８に位置している。キャリーバッグ１は、伸縮ロッド機構１３のロッド１６を鞘部１５の最も奥まで収納しときに、ハンドル２１がケース１７の天井部１０の近傍に位置することになる。そのため仮に開口部が天井部１１に設けられていた場合には、伸縮ロッド１６を収納した状態ではハンドル２１が荷物の出し入れの妨げになる恐れがある。
【００３２】
しかしながら、本実施の形態のように蓋部材５により塞がれる開口部が前面部１８にあることでそのような恐れもなくなり、キャリーバッグとしての利便性を損なうことがない。
【００３３】
もちろん前面部１８以外の背面部１７を含む別の側面部２０等に開口部を設けて蓋部材５で覆うようにしても同様の効果が得られるのは勿論である。
【００３４】
また、天井部１１に蓋部材５で覆われる開口部を設ける場合には、天井部１１の端部などハンドル２１の存在の影響を受け難い箇所に開口部を設けるなどの構成が考えられる。更に、複数箇所に開口部を設けてもよい。
【００３５】
以上に記載した本実施の形態においては、より利便性を高めた形態としてハンドルを取り付けるロッドを伸縮ロッド機構１３の伸縮ロッド１６により構成したが、本発明は伸縮しない直棒状のロッドを用いてもよいのは勿論であり、このようなキャリーバッグも実施の形態に含まれる。伸縮ロッド機構１３を用いないキャリーバッグは、構成の単純化による強度向上やコストの低下が見込まれる。
【００３６】
更に、以上に記載した本実施の形態においてはキャリーバッグの使用時の移動方向を限定しないものとしたためキャスタの数を４つとしているが、３つのキャスタや５つ以上のキャスタを実施の形態として採用してもよい。
【図面の簡単な説明】
【００３７】
【図１】（Ａ）は伸縮ロッドを縮めた状態の本発明の実施の形態の杖代用キャリーバッグの正面図であり、（Ｂ）は伸縮ロッドを伸ばした状態の本発明の実施の形態の杖代用キャリーバッグの右側面図であり、（Ｃ）はハンドルの平面図である。
【図２】本実施の形態の杖代用キャリーバッグの使用状態を説明するために用いる図である。
【図３】形状が異なるハンドルが伸縮ロッド機構の伸縮ロッドの上端に取り付けられた状態を示す斜視図である。
【図４】（Ａ）乃至（Ｅ）は、伸縮ロッド機構の伸縮ロッドの上端に図３のハンドルが取り付けられたものの平面図、正面図、右側面図、左側面図及び底面図である。
【図５】１本の伸縮ロッドでハンドルを支持する場合の例を示す図である。
【図６】（Ａ）乃至（Ｃ）は、本発明で用いることができるハンドルのさらに他の例の平面図、正面図及び右側面図である。
【図７】図６に示したハンドルを背面側からみた斜視図である。
【符号の説明】
【００３８】
１  杖代用キャリーバッグ
３  ケース本体
５  蓋部材
７  ケース
９  底部
１１  キャスタ
１３  伸縮ロッド機構
１５  鞘部
１６  伸縮ロッド（ロッド）
１９  解除ボタン
２１  ハンドル
２３  ベース部
２５  アーム部
２７  連結部（握り部）
２９  膨出部
【図１】
2009261685.tif 000003
【図２】
2009261685.tif 000004
【図３】
2009261685.tif 000005
【図４】
2009261685.tif 000006
【図５】
2009261685.tif 000007
【図６】
2009261685.tif 000008
【図７】
2009261685.tif 000009